(57)【特許請求の範囲】
【請求項１】
クランク軸（１）を水平に支持するクランクケース（２）に、Ｖ字状に配置される第１及び第２バンク（Ｂ１，Ｂ２）を連設し、これら第１及び第２バンク（Ｂ１，Ｂ２）間の谷部（１０）に各バンク（Ｂ１，Ｂ２）の吸気ポート（１３）に連通する気化器（１４）を配置し、クランク軸（１）の一端部に冷却ファン（４）を固定すると共に、この冷却ファン（４）が吸引した外気を冷却風として第１及び第２バンク（Ｂ１，Ｂ２）の周りに誘導するファンカバー（５）をクランクケース（２）に取り付けてなるＶ型エンジンにおいて、
前記気化器（１４）を、前記第１及び第２バンク（Ｂ１，Ｂ２）の配列方向に並んで水平方向に延びる第１及び第２吸気道（１５ａ，１５ｂ）を有する２連型気化器より構成して、その気化器（１４）全体が前記谷部（１０）に収まり且つ第１及び第２バンク（Ｂ１，Ｂ２）から離隔するように配置すると共に、この気化器（１４）の前記第１及び第２吸気道（１５ａ，１５ｂ）を、水平面上で前記谷部（１０）の外側方にＵ字状に各々湾曲した第１及び第２吸気管（１６ａ，１６ｂ）を介して第１及び第２バンク（Ｂ１，Ｂ２）の吸気ポート（１３）にそれぞれ接続し、
前記気化器（１４）に対向する第１及び第２バンク（Ｂ１，Ｂ２）の側面には、該側面に沿って延びて該側面を覆う合成樹脂製の第１及び第２遮熱板（２３ａ，２３ｂ）をそれぞれ取り付けると共に、それら第１及び第２遮熱板（２３ａ，２３ｂ）と第１及び第２バンク（Ｂ１，Ｂ２）の側面との各間に、該側面に沿って延びる冷却風通路（２２）をそれぞれ画成し、
これら第１及び第２遮熱板（２３ａ，２３ｂ）の前記冷却ファン（４）側の端部には、その各遮熱板（２３ａ，２３ｂ）が前記ファンカバー（５）と連続するよう該ファンカバー（５）の冷却風下流側の端部をそれぞれ当接させて、該冷却ファン（４）が吸引、圧送する冷却風を前記ファンカバー（５）内から前記冷却風通路（２２）側に誘導し、
前記第１及び第２遮熱板（２３ａ，２３ｂ）間を、前記谷部（１０）の底面を覆う底板（２４）で一体に連結して、横断面Ｖ字状の単一部品（２５）を構成したことを特徴とする、Ｖ型エンジン。
【請求項２】
請求項１記載のＶ型エンジンにおいて、
前記単一部品（２５）に、線状体（３３）を保持する保持部（３４）を一体に形成したことを特徴とするＶ型エンジン。
【発明の詳細な説明】
【技術分野】
【０００１】
本発明は、クランクケースに、Ｖ字状に配置される第１及び第２バンクを連設し、これら第１及び第２バンク間の谷部に各バンクの吸気ポートに連通する気化器を配置してなるＶ型エンジンの改良に関する。
【背景技術】
【０００２】
かゝるＶ型エンジンの運転停止直後には、冷却風の流れも停止するため、各バンクの熱が第１及び第２バンク間の谷部に籠もり易く、その谷部に配置される気化器にパーコレーションが発生し、これがＶ型エンジンの高温状態での再始動を困難にする。そこで、従来、各バンクと気化器との接合部にインシュレータを介装し、このインシュレータに、上下方向に延びる遮熱フランジを一体に形成して、各バンク及び気化器間の遮熱をするものが知られている（例えば特許文献１参照）。
【０００３】
しかしながら、上記従来のものでは、気化器は、比較的薄いインシュレータを挟んで対応するバンクに接合されているため、インシュレータの断熱性にも限界があり、Ｖ型エンジンの高温状態での運転停止時には、各バンクの熱がインシュレータを通して気化器に伝達しまい、パーコレーションを生じさせる虞がある。
【特許文献１】特開昭５８−５３６４０号公報
【発明の開示】
【発明が解決しようとする課題】
【０００４】
本発明は、かゝる事情に鑑みてなされたもので、高温状態での運転停止時でも、各バンクから気化器への熱の影響を確実に防いで、その気化器でのパーコレーションの発生を抑え、高温状態での再始動性を良好にし得るＶ型エンジンを提供することを目的とする。
【課題を解決するための手段】
【０００５】
上記目的を達成するために、本発明は、クランク軸を水平に支持するクランクケースに、Ｖ字状に配置される第１及び第２バンクを連設し、これら第１及び第２バンク間の谷部に各バンクの吸気ポートに連通する気化器を配置し、クランク軸の一端部に冷却ファンを固定すると共に、この冷却ファンが吸引した外気を冷却風として第１及び第２バンクの周りに誘導するファンカバーをクランクケースに取り付けてなるＶ型エンジンにおいて、前記気化器を、前記第１及び第２バンクの配列方向に並んで水平方向に延びる第１及び第２吸気道を有する２連型気化器より構成して、その気化器全体が前記谷部に収まり且つ第１及び第２バンクから離隔するように配置すると共に、この気化器の前記第１及び第２吸気道を、水平面上で前記谷部の外側方にＵ字状に各々湾曲した第１及び第２吸気管を介して第１及び第２バンクの吸気ポートにそれぞれ接続し、前記気化器に対向する第１及び第２バンクの側面には、該側面に沿って延びて該側面を覆う合成樹脂製の第１及び第２遮熱板をそれぞれ取り付けると共に、それら第１及び第２遮熱板と第１及び第２バンクの側面との各間に、該側面に沿って延びる冷却風通路をそれぞれ画成し、これら第１及び第２遮熱板の前記冷却ファン側の端部には、その各遮熱板が前記ファンカバーと連続するよう該ファンカバーの冷却風下流側の端部をそれぞれ当接させて、該冷却ファンが吸引、圧送する冷却風を前記ファンカバー内から前記冷却風通路側に誘導し、前記第１及び第２遮熱板間を、前記谷部の底面を覆う底で一体に連結して、横断面Ｖ字状の単一部品を構成したことを第１の特徴とする。
【０００６】
さらに本発明は、第１の特徴に加えて、前記単一部品に、線状体を保持する保持部を一体に形成したことを第２の特徴とする。
【発明の効果】
【０００７】
本発明の第１の特徴によれば、Ｖ型エンジンの運転中、冷却風を、第１及び第２遮熱板が第１及び第２バンクの側面との間に画成する冷却風通路に誘導して、各バンクを冷却することができる。またＶ型エンジンの高温状態でその運転を停止した場合、第１及び第２バンクと気化器との間に介在する第１及び第２遮熱板は、各バンクから気化器への輻射熱を遮る。しかも、気化器は、第１及び第２バンクＢ１，Ｂ２から離隔するように、両バンク間の谷部に配置され、吸気管を介して両バンクに接続されるので、吸気管の放熱作用により、各バンクから気化器への熱伝導を少なくすることができ、これらにより気化器の加熱を防ぐことで、パーコレーションの発生を抑え、高温状態でのエンジンの再始動性の向上に寄与し得る。
【０００８】
このように第１及び第２遮熱板は、Ｖ型エンジンＥの運転中は、第１及び第２バンク周りへの冷却風を誘導し、その運転停止時には、各バンクから気化器への輻射熱を遮断するという、二様の役割を果たすことになり、Ｖ型エンジン周りの構造の簡素化にも寄与し得る。
【０００９】
また第１及び第２遮熱板は、底板を介して一体に連結されて横断面Ｖ字状の単一部品を構成するので、この単一部品を一体成形することで、両遮熱板を一挙に製作することができるのみならず、この合成樹脂製部品のＶ型エンジンへの取り付けを容易、迅速に行うことができる。
【００１０】
さらに本発明の第２の特徴によれば、単一部品に線状体を保持する保持部が一体に形成したことで、線状体専用の保持部材をＶ型エンジンに取り付ける必要がなく、部品点数の削減に寄与し得る。
【発明を実施するための最良の形態】
【００１１】
本発明の実施の形態を、添付図面に示す本発明の好適な実施例に基づいて以下に説明する。
【００１２】
図１は本発明に係る汎用Ｖ型エンジンの背面図、図２は図１の２−２線断面図、図３は図１の３矢視図、図４は図１の４−４線断面図、図５は上記エンジンに取り付けられる、第１及び第２遮熱板を備える単一部品の斜視図、図６は図５の６矢視図、図７は図６の７矢視図である。
【００１３】
図１及び図２において、本発明を汎用Ｖ型２気筒エンジンＥに適用した例について説明する。このＶ型エンジンＥは、クランク軸１を水平に支持するクランクケース２と、このクランクケース２の上部に連設され、上記クランク軸１の軸線Ａを含む鉛直面Ｐを中心としてＶ字状に開いて配置される第１及び第２バンクＢ１，Ｂ２とから構成される。図示例の場合、第１及び第２バンクＢ１，Ｂ２間の夾角αは９０°に設定される。クランクケース２の正面側に突出するクランク軸１の一端部にはフライホイール３と冷却ファン４とが固着され、この冷却ファン４が吸引した外気を冷却風として各バンクＢ１，Ｂ２の周り及び後述の気化器１４周りに誘導するファンカバー５がクランクケース２に取り付けられる。またクランク軸１の他端部は、出力部としてクランクケース２の背面側に突出する。クランクケース２の底部には、エンジン据え付けフランジ６が一体に形成される。
【００１４】
第１及び第２バンクＢ１，Ｂ２は，１本の気筒７をそれぞれ備えており、各気筒７には、上記クランク軸１にコンロッド８を介して連接されるピストン９が嵌装される。また第１及び第２バンクＢ１，Ｂ２の頭部の正面側で相対向する角部には、吸気ポート１３が端面に開口する吸気管取り付けフランジ１２，１２がそれぞれ形成されており、これら取り付けフランジ１２，１２には、両バンクＢ１，Ｂ２間の谷部１０の中央部に配置される気化器１４の第１及び第２吸気道１５ａ，１５ｂを第１及び第２バンクＢ１，Ｂ２の吸気ポート１３，１３にそれぞれ連通する第１及び第２吸気管１６ａ，１６ｂが取り付けられる。而して、図１〜図３に示されるように、気化器１４は、第１及び第２バンクＢ１，Ｂ２の配列方向に並んで水平方向に延びる第１及び第２吸気道１５ａ，１５ｂを有する２連型気化器より構成されていて、その気化器１４全体が前記谷部１０に収まるように谷部１０の中央部に配置されることで、両バンクＢ１，Ｂ２から等しく離隔されており、また前記第１及び第２吸気管１６ａ，１６ｂは、水平面上でＵ字状に各々湾曲して前記谷部１０の外側方まで張出している。
【００１５】
第１及び第２吸気管１６ａ，１６ｂは、それらの上流端が一枚の大接合フランジ１７に結合されて相互に一体に連結され、上記大接合フランジ１７に、気化器１４の下流側端面がボルト接合される。第１及び第２吸気管１６ａ，１６ｂの下流端には小接合フランジ１８，１８が形成され、これら小接合フランジ１８，１８が前記吸気管取り付けフランジ１２，１２にボルト１９によって接合される。
【００１６】
図１に示すように、気化器１４の第１及び第２吸気道１５ａ，１５ｂは、前記鉛直面Ｐを挟んで左右に水平に並んでおり、第１及び第２吸気道１５ａ，１５ｂを開閉するバタフライ型のスロットル弁２０，２０は、水平配置の共通の弁軸２１の回動により開閉される。また気化器１４は、第１及び第２吸気道１５ａ，１５ｂに共通のフロートチャンバ１４ａを下部に備えている。
【００１７】
図１、図３及び図４に示すように、上記気化器１４に対向する第１及び第２バンクＢ１，Ｂ２の側面には、該側面に沿って延びて該側面を覆う合成樹脂製の第１及び第２遮熱板２３ａ，２３ｂがそれぞれ取り付けていて、それら第１及び第２遮熱板２３ａ，２３ｂと第１及び第２バンクＢ１，Ｂ２の側面との各間に、該側面に沿って延びる冷却風通路２２がそれぞれ画成されている。各バンクＢ１，Ｂ２の外周面には、上記冷却風通路２２，２２に臨む多数の冷却フィン２９，２９…が形成されている。
【００１８】
図４に明示するように、これら第１及び第２遮熱板２３ａ，２３ｂの前端部、即ち冷却ファン４側の端部に前記ファンカバー５の冷却風下流側の端部が連続するようになっている。また各遮熱板２３ａ，２３ｂの後端部には、上記冷却風通路２２，２２から流出する冷却風を、対応するバンクＢ１，Ｂ２の背面側に誘導する屈曲部３０が形成される。
【００１９】
図１、図３〜図７に示すように、上記第１及び第２遮熱板２３ａ，２３ｂは、前記谷部１０の底面を覆う底板２４を介して一体に連結されて、一体成形される横断面Ｖ字状の単一部品２５を構成する。この単一部品２５において、第１及び第２遮熱板２３ａ，２３ｂには取り付けボス２６一個宛形成され、各取り付けボス２６を対応するバンクＢ１，Ｂ２の外周に形成されたねじボス２７にボルト２８で固着することにより（図４参照）、単一部品２５はＶ型エンジンＥに取り付けられる。このように、第１及び第２遮熱板２３ａ，２３ｂを単一部品２５とすることで、少ない本数のボルト２８で第１及び第２遮熱板２３ａ，２３ｂのＶ型エンジンＥへの取り付けが可能となる。
【００２０】
またこの単一部品２５には（図示例では一方の遮熱板２３ｂ）、Ｖ型エンジンＥの制御用の電線や、操作ケーブル、ホース等を含む線状体３３を保持する保持部３４が一体に形成される。
【００２１】
再び図１において、第１及び第２バンクＢ１，Ｂ２の頭部には、吸気管１６ａ，１６ｂと反対の背面の開口する排気ポート３１が設けられる。
【００２２】
次に、この実施例の作用について説明する。
【００２３】
気化器１４に対向する第１及び第２バンクＢ１，Ｂ２の側面には、該側面を覆うと共に、該側面との間に冷却風通路２２，２２を画成する合成樹脂製の第１及び第２遮熱板２３ａ，２３ｂが取り付けられ、これら遮熱板２３ａ，２３ｂの、冷却ファン４側の端部にファンカバー５の冷却風下流側の端部が連続しているので、Ｖ型エンジンＥの運転中、クランク軸１と共に回転する冷却ファン４が吸引して圧送する冷却風を各バンクＢ１，Ｂ２周りの冷却風通路２２，２２に誘導して、各バンクＢ１，Ｂ２を冷却することができる。特に、冷却風通路２２，２２には、対応するバンクＢ１，Ｂ２の多数の冷却フィン２９，２９…が臨んでいるから、各バンクＢ１，Ｂ２の冷却性を高めることができる。また冷却ファン４が圧送する冷却風の一部は気化器１４側にも供給され、気化器１４を冷却する。
【００２４】
さらに各バンクＢ１，Ｂ２の冷却風通路２２，２２を流れる冷却風は、対応する遮熱板２３ａ，２３ｂの各後端の屈曲部３０により各バンクＢ１，Ｂ２の背面側に進路を曲げられるので、各バンクＢ１，Ｂ２の背面側をも良好に冷却することができる。
【００２５】
Ｖ型エンジンＥの高温状態でその運転を停止した場合、冷却ファン４の回転が停止すると、上記の冷却風の流れも停止するため、各バンクＢ１，Ｂ２は周囲に熱を放散するが、各バンクＢ１，Ｂ２と気化器１４との間に介在する遮熱板２３ａ，２３ｂが各バンクＢ１，Ｂ２から気化器１４への輻射熱を遮るので、気化器１４の加熱を防ぐことができる。
【００２６】
しかも、気化器１４は、第１及び第２バンクＢ１，Ｂ２から離隔するように、両バンク間の谷部１０の中央部に配置され、比較的長い吸気管１６ａ，１６ｂを介して両バンクＢ１，Ｂ２に接続されるので、吸気管１６ａ，１６ｂの放熱作用により、各バンクＢ１，Ｂ２から気化器１４への熱伝導を少なくして、気化器１４の加熱を防ぐことができる。かくして、気化器１４におけるパーコレーションの発生を抑えることができ、Ｖ型エンジンＥの高温状態での再始動性の向上に寄与し得る。
【００２７】
このように第１及び第２遮熱板２３ａ，２３ｂは、Ｖ型エンジンＥの運転中は、第１及び第２バンクＢ１，Ｂ２周りへの冷却風を誘導し、その運転停止時には、各バンクＢ１，Ｂ２から気化器１４への輻射熱を遮断するという、二様の役割を果たすことになり、Ｖ型エンジンＥ周りの構造の簡素化にも寄与し得る。
【００２８】
また上記一対の遮熱板２３ａ，２３ｂは、第１及び第２バンクＢ１，Ｂ２間の谷部１０の底面を覆う底板２４を介して一体に連結されて、単一部品２５を構成するので、この単一部品２５を一体成形することで、第１及び第２遮熱板２３ａ，２３ｂを一挙に製作することができるのみならず、この単一部品２５のＶ型エンジンＥへの取り付けを少ない本数のボルト２８で行うことができ、取り付け作業の能率向上に寄与し得る。
【００２９】
またこの単一部品２５には、Ｖ型エンジンＥの制御用の電線や、操作ケーブル、ホース等を含む線状体３３を保持する保持部３４が一体に形成されるので、線状体３３専用の保持部材をＶ型エンジンＥに取り付ける必要がなく、部品点数の削減に寄与し得る。
【００３０】
本発明は上記実施例に限定されるものではなく、その要旨を逸脱しない範囲で種々の設計変更が可能である。気化器１４として、それぞれ独立した第１及び第２気化器を第１及び第２吸気管１６ａ，１６ｂに個別に接続することもできる。また本発明は、クランク軸を縦置きにしたバーチカル型の汎用Ｖ型エンジンにも適用可能である。
【図面の簡単な説明】
【００３１】
【図１】本発明に係る汎用Ｖ型エンジンの背面図。
【図２】図１の２−２線断面図。
【図３】図１の３矢視図。
【図４】図１の４−４線断面図。
【図５】上記エンジンに取り付けられる、第１及び第２遮熱板を備える単一部品の斜視図。
【図６】図５の６矢視図。
【図７】図６の７矢視図。
【符号の説明】
【００３２】
Ｅ・・・・・・・Ｖ型エンジン
Ｂ１・・・・・・第１バンク
Ｂ２・・・・・・第２バンク
１・・・・・・・クランク軸
２・・・・・・・クランクケース
４・・・・・・・冷却ファン
５・・・・・・・ファンカバー
１０・・・・・・谷部
１３・・・・・・吸気ポート
１４・・・・・・気化器
１５ａ，１５ｂ・・・第１、第２吸気道
１６ａ，１６ｂ・・・第１、第２吸気管
２２・・・・・・冷却風通路
２３ａ，２３ｂ・・・第１、第２遮熱板
２４・・・・・・底板
２５・・・・・・単一部品
３３・・・・・・線状体
３４・・・・・・保持部材
【図１】
0004929235.tif 000002
【図２】
0004929235.tif 000003
【図３】
0004929235.tif 000004
【図４】
0004929235.tif 000005
【図５】
0004929235.tif 000006
【図６】
0004929235.tif 000007
【図７】
0004929235.tif 000008